(57)【要約】【課題】クレジットカード、ＩＤカード、パスポートその他の個人情報記録媒体において、個人情報を確実に読み取り、読み取り機能を維持する。【解決手段】メモリ素子として、非接触かつ静止状態で読み取り可能なＲＦＩＤ３を組み込む。このＲＦＩＤ３へのアクセスを制限するアクセス制限手段として、マシンリーダブルなホログラム５を採用する。さらに、ホログラム５ごとに異なる特定のパターンが形成されるように、シートに１個以上（例えば、１２個）の識別孔を穿設する。これにより、人的誤差を排除してホログラム５の真贋を正確に判断することができる。【選択図】図１
2006163701.tif 000002
【特許請求の範囲】
【請求項１】
メモリ素子が組み込まれた個人情報記録媒体において、
前記メモリ素子は、非接触かつ静止状態で読み取り可能なものであることを特徴とする個人情報記録媒体。
【請求項２】
メモリ素子が組み込まれた個人情報記録媒体において、
前記メモリ素子は、ＲＦＩＤであることを特徴とする個人情報記録媒体。
【請求項３】
前記メモリ素子へのアクセスを制限するアクセス制限手段が設けられていることを特徴とする請求項１または２に記載の個人情報記録媒体。
【請求項４】
前記アクセス制限手段は、マシンリーダブルなホログラムであることを特徴とする請求項３に記載の個人情報記録媒体。
【請求項５】
前記ホログラムには、１個以上の識別孔が当該ホログラムごとに異なる特定のパターンを形成するように設けられていることを特徴とする請求項４に記載の個人情報記録媒体。
【請求項６】
前記ホログラムには、特定の入射角の光のみ反射する２次加工が施されていることを特徴とする請求項４または５に記載の個人情報記録媒体。
【請求項７】
前記ホログラムには、特定波長の光のみ反射する２次加工が施されていることを特徴とする請求項４乃至６のいずれかに記載の個人情報記録媒体。
【発明の詳細な説明】
【技術分野】
【０００１】
本発明は、クレジットカード、ＩＤカード（身分証明書）、パスポートその他の個人情報記録媒体に関するものである。
【背景技術】
【０００２】
この種の個人情報記録媒体においては、基材にメモリ素子が組み込まれており、このメモリ素子には、本人の住所、氏名、性別、生年月日など各種の個人情報が書き込まれている。従来、このメモリ素子としては、磁気テープやＩＣチップが用いられている。
【０００３】
また、これらのメモリ素子に書き込まれた個人情報の漏洩・改竄を防止するため、個人情報記録媒体の表面にホログラムが貼付されている。
【発明の開示】
【発明が解決しようとする課題】
【０００４】
しかし、磁気テープが組み込まれた個人情報記録媒体では、メモリ素子に書き込まれた個人情報を読み取るときに個人情報記録媒体を移動させる必要がある。そのため、個人情報記録媒体の移動速度が許容範囲から外れたり、一定でなかったりすると、個人情報を適正に読み取れないという不便があった。
【０００５】
一方、ＩＣチップが組み込まれた個人情報記録媒体では、接触型であるが故に、ＩＣチップを定期的に交換しないと、ＩＣチップが摩耗して十全に機能しなくなる危険性がある。
【０００６】
また、ホログラムはヒューマンリーダブル、すなわち人間が目視で確認するものであるため、その真贋の判断が必ずしも正確ではないという不具合があった。
【０００７】
本発明は、こうした不都合を解消することが可能な個人情報記録媒体を提供することを目的とする。
【課題を解決するための手段】
【０００８】
まず、請求項１に係る個人情報記録媒体の発明は、メモリ素子が組み込まれた個人情報記録媒体において、前記メモリ素子は、非接触かつ静止状態で読み取り可能なものであることを特徴とする。
また、請求項２に係る個人情報記録媒体の発明は、メモリ素子が組み込まれた個人情報記録媒体において、前記メモリ素子は、ＲＦＩＤであることを特徴とする。
また、請求項３に係る個人情報記録媒体の発明は、前記メモリ素子へのアクセスを制限するアクセス制限手段が設けられていることを特徴とする。
また、請求項４に係る個人情報記録媒体の発明は、前記アクセス制限手段は、マシンリーダブルなホログラムであることを特徴とする。
また、請求項５に係る個人情報記録媒体の発明は、前記ホログラムには、１個以上の識別孔が当該ホログラムごとに異なる特定のパターンを形成するように設けられていることを特徴とする。
また、請求項６に係る個人情報記録媒体の発明は、前記ホログラムには、特定の入射角の光のみ反射する２次加工が施されていることを特徴とする。
また、請求項７に係る個人情報記録媒体の発明は、前記ホログラムには、特定波長の光のみ反射する２次加工が施されていることを特徴とする。
【発明の効果】
【０００９】
本発明によれば、静止状態かつ非接触で読み取り可能なメモリ素子（ＲＦＩＤなど）を採用していることから、磁気テープと異なり、個人情報を確実に読み取ることができ、ＩＣチップと違って、定期的に交換しなくても読み取り機能を維持することが可能となる。
【００１０】
また、マシンリーダブルなホログラムを採用しているため、人的誤差を排除してホログラムの真贋の判断を正確に行うことができる。
【発明を実施するための最良の形態】
【００１１】
以下、本発明の実施形態を図面に基づいて説明する。
【００１２】
＜第１の実施形態＞
図１は本発明に係る個人情報記録媒体の第１の実施形態（クレジットカード）を示す断面図である。図２は図１に示すクレジットカードのホログラム部分の詳細図である。図３はカードリーダの構造を示す模式図である。
【００１３】
このクレジットカード１は、図１に示すように、合成樹脂製の下層基材４を有しており、下層基材４の上側には、合成樹脂製の上層基材２が積層されている。下層基材４と上層基材２との間には、メモリ素子としてのＲＦＩＤ（radio frequency identification）３が組み込まれており、ＲＦＩＤ３は、本人の住所、氏名、性別、生年月日など各種の個人情報が書き込まれたＲＦＩＤチップ３ａと、ＲＦＩＤチップ３ａ内の個人情報を無線伝送するためのアンテナ３ｂとから構成されている。また、上層基材２の上面には、マシンリーダブルなホログラム５が貼設されているとともに、透明な合成樹脂製の保護層６がホログラム５を覆う形で積層されている。ここで、マシンリーダブルとは、コンピュータなどの機械がその意味を理解できることを意味する。
【００１４】
さらに、ホログラム５は、図２に示すように、微小凹凸ホログラム原画が転写された矩形状のシート５ａを有しており、シート５ａには直径０．１ｍｍ程度の１２個の識別孔５ｂが貫通して穿設されている。これらの識別孔５ｂは、ホログラム５ごとに異なる特定のパターンを形成している。すなわち、シート５ａは、仮想的に５００行５００列の格子状に分割されて２５０００個の区画が形成されており、これらの区画から適宜選択した１２個の区画に識別孔５ｂが穿設されている。したがって、識別孔５ｂはホログラム５ごとに異なる特定のパターンを形成する。その結果、クレジットカード１はユニークなものとなる。
【００１５】
また、カードリーダ１１は、図３に示すように、ケーシング１２を有しており、ケーシング１２の上面にはカード挿通孔１２ａが形成されている。ケーシング１２内には、主制御装置１３、ＲＦＩＤコントローラ１５、受光装置１６、インターフェース１７が格納されている。
【００１６】
クレジットカード１およびカードリーダ１１は以上のような構成を有するので、このクレジットカード１の個人情報をカードリーダ１１で読み取る際には、カードリーダ１１のカード挿通孔１２ａにクレジットカード１を差し込む。
【００１７】
すると、主制御装置１３は、まず、ホログラム５の真贋を判断する。すなわち、クレジットカード１の裏側からホログラム５に光を照射して受光装置１６で受光することにより、識別孔５ｂが形成しているパターンを認識する。そして、このパターンが正規のものであるか否かを判定し、パターンが正規のものであればホログラム５は本物であると判断し、パターンが正規のものでなければホログラム５は贋物である（本物でない）と判断する。これは、２５０００個の区画から適宜選択した１２個の区画がすべて一致して同一のパターンが形成される確率は実質的にゼロと言えるという確率理論に基づく。
【００１８】
このように、ホログラム５はマシンリーダブルであるため、人的誤差を排除してホログラム５の真贋を正確に判断することができる。
【００１９】
そして、ホログラム５が贋物であると判断されると、主制御装置１３は、ＲＦＩＤ３へのアクセスを許可しないので、クレジットカード１の個人情報を読み取ることができない。その結果、個人情報の漏洩・改竄を防止し、クレジットカード１のセキュリティーを高めることができる。
【００２０】
他方、ホログラム５が本物であると判断されると、主制御装置１３は、ＲＦＩＤ３へのアクセスを許可すべく、ＲＦＩＤコントローラ１５に対して個人情報の読み取りを指令する。これを受けてＲＦＩＤコントローラ１５は、ＲＦＩＤ３のＲＦＩＤチップ３ａから個人情報を読み出して主制御装置１３に出力し、主制御装置１３は、この個人情報をインターフェース１７を介してパーソナルコンピュータ（図示せず）に出力する。
【００２１】
このとき、ＲＦＩＤ３は静止状態かつ非接触で読み取り可能である。そのため、移動状態でしか読み取れない磁気テープと異なり、個人情報を確実に読み取ることができる。また、接触型のＩＣチップと違って、定期的に交換しなくても読み取り機能を維持することができる。
【００２２】
＜第２の実施形態＞
なお、上述した第１の実施形態においては、ホログラム５ごとに異なる特定のパターンが形成されるようにシート５ａに識別孔５ｂを穿設することにより、ホログラム５の偽造を防止する場合について説明した。しかし、こうしたパターン識別に代えて、或いはパターン識別に加えて、ホログラム５に特定の入射角（例えば、２３°など）の光のみ反射する２次加工を施すことにより、ホログラム５の偽造を防止することもできる。
【００２３】
＜第３の実施形態＞
なお、上述した第２の実施形態においては、ホログラム５に特定の入射角の光のみ反射する２次加工を施すことにより、ホログラム５の偽造を防止する場合について説明したが、この２次加工に代えて、或いは２次加工に加えて、ホログラム５に特定波長の光のみ反射する２次加工を施すことにより、ホログラム５の偽造を防止することもできる。さらに、これらの２次加工とパターン識別とを組み合わせてホログラム５の偽造を防止することも可能である。
【００２４】
＜その他の実施形態＞
なお、上述の実施形態においては、メモリ素子としてＲＦＩＤ３を用いる場合について説明したが、非接触かつ静止状態で読み取り可能なものである限り、ＲＦＩＤ３以外のメモリ素子を代用しても構わない。
【００２５】
なお、上述の実施形態においては、マシンリーダブルなホログラム５をアクセス制限手段として用いる場合について説明したが、ホログラム５以外のアクセス制限手段を代用することも可能である。
【００２６】
なお、上述の実施形態においては、シート５ａに形成された２５０００個の区画のうち１２個の区画に直径０．１ｍｍ程度の識別孔５ｂが穿設されたホログラム５について説明したが、シート５ａの区画数はこれに限るわけではない。また、識別孔５ｂの個数や直径は特に限定されるものではない。ここで、識別孔５ｂの個数が増えるほど、ホログラム５のパターンの種類が指数関数的に増加するため、ホログラム５の偽造防止効果、ひいてはクレジットカード１のセキュリティーが飛躍的に向上する。
【００２７】
なお、上述の実施形態においては、クレジットカード１を例示して説明したが、クレジットカード１以外の個人情報記録媒体（例えば、ＩＤカード（身分証明書）、パスポートなど）に本発明を適用することも可能である。
【図面の簡単な説明】
【００２８】
【図１】本発明に係る個人情報記録媒体の第１の実施形態（クレジットカード）を示す断面図である。
【図２】図１に示すクレジットカードのホログラム部分の詳細図である。
【図３】カードリーダの構造を示す模式図である。
【符号の説明】
【００２９】
１……クレジットカード
２……上層基材
３……ＲＦＩＤ（メモリ素子）
３ａ……ＲＦＩＤチップ
３ｂ……アンテナ
４……下層基材
５……ホログラム（アクセス制限手段）
５ａ……シート
５ｂ……識別孔
６……保護層
１１……カードリーダ
１２……ケーシング
１２ａ……カード挿通孔
１３……主制御装置
１５……ＲＦＩＤコントローラ
１６……受光装置
１７……インターフェース
【図１】
2006163701.tif 000003
【図２】
2006163701.tif 000004
【図３】
2006163701.tif 000005